(57)【要約】【課題】筆記作業における安定性が高く、且つ動かすための力が小さい筆記補助具を提供する。【解決手段】筆記補助具１は、筆記具３を挿通可能な連通孔４を備えた本体２と、前記本体２に設けられ、前記本体２の前記連通孔４に挿通された前記筆記具３を固定する固定手段５と、それぞれの一部が、前記本体２の底面２Ｂから突出し、且つ回転自在に設けられた少なくとも２つの球部材６Ａとを有している。【選択図】図１
2010083076.tif 000002
【特許請求の範囲】
【請求項１】
筆記具を挿通可能な連通孔を備えた本体と、
前記本体に設けられ、前記本体の前記連通孔に挿通された前記筆記具を固定する固定手段と、
それぞれの一部が、前記本体の底面から突出し、且つ回動自在に設けられた少なくとも２つの球部材と、
を具備したことを特徴とする筆記補助具。
【請求項２】
前記本体は、前記連通孔及び前記固定手段が設けられた筆記具固定部と、この筆記具固定部に連設して設けられた把持部とを有し、前記把持部の底面部に前記少なくとも２つの球部材を設けて構成したことを特徴とする請求項１に記載の筆記補助具。
【請求項３】
前記本体は、凹形状の挟持部を前記本体の側面の一部に設けて構成したことを特徴とする請求項１に記載の筆記補助具。
【請求項４】
前記筆記具固定部は、凹形状の挟持部を前記筆記具固定部の側面の一部に設けて構成したことを特徴とする請求項２に記載の筆記補助具。
【請求項５】
前記本体は、木材又は透明な樹脂部材を用いて構成したことを特徴とする請求項１から請求項４のいずれか１項に記載の筆記補助具。
【発明の詳細な説明】
【技術分野】
【０００１】
本発明は、鉛筆又はボールペン等の筆記具を用いた筆記作業を補助して容易に行うことのできる筆記補助具に関する。
【背景技術】
【０００２】
従来より、例えば、手に障害を持つ人でも、鉛筆又はボールペン等の筆記具を用いた平面上での筆記作業を、少しでも楽に行えるように様々な筆記補助具が提案されている。
【０００３】
例えば、特許文献１には、球形の回転体を支持体の下端部に回転自在に嵌着し、前記支持体の上部に取付台を設け、この取付台に手装着部と、筆記具装着部とを設けて構成することにより、手に障害がある者にも筆記作業ができる筆記補助具に関する技術が開示されている。
【０００４】
また、特許文献２には、回動可能にそれぞれの一方側が連結された底板及び上板と、底板に対し上板を開く方向に付勢する弾性部材と、上板の他方側に設けた筆記具固定部とを有して構成することにより、手や指などが不自由な人であっても、筆記作業を行える筆記補助具に関する技術が開示されている。
【特許文献１】特許第３９５９４７８号公報
【特許文献２】特開２００２−２４８８９８号公報
【発明の開示】
【発明が解決しようとする課題】
【０００５】
しかしながら、前記特許文献１に記載の筆記補助具では、筆記具を用いて筆記作業を行う場合に、回転体と筆記具のペン先との２点が平面に接触する構造であるので、筆記作業時における安定性がなく、また、筆記作業時に、筆記補助具を安定的に維持するための力が必要となり、筆記作業を円滑に行うことができない。
【０００６】
また、前記特許文献２に記載の筆記補助具では、筆記具を用いて筆記作業を行う場合に、筆記具のペン先の他に、底板の下部に設けられた摩擦係数の低いプラスチックシートが平面上に面接触する構造であるので、筆記作業時に、筆記補助具を動かすための力が小さくなく、筆記作業を円滑に行うことができない。
【０００７】
そこで、本発明は前記問題点に鑑みてなされたもので、筆記作業における安定性が高く、且つ動かすための力が小さい筆記補助具を提供することを目的とする。
【課題を解決するための手段】
【０００８】
本発明の筆記補助具は、筆記具を挿通可能な連通孔を備えた本体と、前記本体に設けられ、前記本体の前記連通孔に挿通された前記筆記具を固定する固定手段と、それぞれの一部が、前記本体の底面から突出し、且つ回動自在に設けられた少なくとも２つの球部材と、を有している。
【発明の効果】
【０００９】
本発明の筆記補助具によれば、筆記作業における安定性が高く、且つ動かすための力を小さくすることができる。
【発明を実施するための最良の形態】
【００１０】
以下、図面を参照して本発明の実施の形態を説明する。 
（第１の実施の形態）
図１から図５は本発明の第１実施の形態に係り、図１は第１実施の形態の筆記補助具の全体構成を示す斜視図、図２は図１の筆記補助具に筆記具を装着した場合の筆記補助具の側面図、図３は図１の筆記補助具の本体の底面側に設けられたスライド手段の構成を説明するための分解組み立て図、図４は組み立てられた図３のスライド手段の一部破断した断面図、図５は第１の実施の形態の筆記補助具の使用方法を説明するための説明図である。
【００１１】
図１に示すように、第１の実施の形態の筆記補助具１は、筆記具３を挿通可能な連通孔４を備えた本体２と、この本体２に設けられ、本体２の連通孔４に挿通された筆記具３を固定する固定手段５と、それぞれの一部が、本体２の底面２Ｂから突出し、且つ回動自在に設けられた少なくとも２つの球部材６Ａとを有して構成されている。
【００１２】
本体２は、例えば木材を用いて円柱形状に形成されている。尚、本体２は木材ではなく、例えば透明な樹脂部材を用いて構成しても良い。
【００１３】
本体２の連通孔４は、本体２の上面２Ａの開口４ａと本体２の下部側の側面部の開口４ｂを介して連通している。この連通孔４は、例えば鉛筆又はボールペン又は筆等の筆記具３が挿通可能な径を有して構成されている。
【００１４】
尚、本体２における、連通孔４を構成する開口４ａと開口４ｂとの位置は、図１に示す構成に限定されるものではなく、使用者が最も筆記作業し易い位置に適宜変更して設けても良い。この場合、連通孔４は、図２に示すように、この連通孔４に挿通された筆記具３のペン軸と、机上面などの平面との角度θが例えば鋭角となるように設けることが望ましい。
【００１５】
また、本体２の開口４ｂ側の下端部は、図１及び図２に示すように一部が切り取られた切り取り部２Ｃを有している。つまり、この切り取り部２Ｃを設けたことによって、筆記作業時において、筆記具３の先端部（以下、ペン先と称す）３Ｂ近傍における使用者の視野を確保することができる。
【００１６】
次に、前記固定手段５の構成について説明する。
【００１７】
前記固定手段５は、図１に示すように、本体２の側面に設けられ、連通孔４と連通する少なくとも２つの貫通孔５ａと、これらの貫通孔５ａに夫々螺合する２つのねじ５ｂとを有して構成されている。
【００１８】
各貫通孔５ａは、一方が本体２の側面側に開口し、他方が前記連通孔４で開口して、その側面と連通孔４は連通している。また、これらの貫通孔５ａの内周面にはねじ山が設けられて前記ねじ５ｂが螺合可能である。
【００１９】
尚、これらの貫通孔５ａは、例えば連通孔４の挿通軸に対して略垂直になるように設けることが望ましい。すなわち、貫通孔５ａにねじ５ｂを螺合した際に、このねじ５ｂの先端面を、連通孔４に挿通された筆記具３の本体３Ａの側面に確実に接触して締め付けることができる。そのため、筆記具３を確実に固定することが可能となる。
【００２０】
ねじ５ｂとして、例えば、六角穴付き止めねじが用いられている。従って、このねじ５ｂを貫通孔５ａに螺合して筆記具３を固定する際には、六角レンチ等の締め付け具を用いてねじ５ｂを螺合する。
【００２１】
また、このねじ５ｂの螺合による筆記具３の固定時には、ねじ５ｂの頭部が貫通孔５ａ内に配置されるので、本体２の側面は凸部を形成しない。このため、使用者は、固定手段を意識することなく、筆記具３のペン先３Ｂの方向のみを認識するだけでこの本体２を把持することができる。
【００２２】
次に、前記少なくとも２つの球部材６Ａを有するスライド手段６の構成について図２から図４を用いて説明する。
【００２３】
前記スライド手段６は、図１及び図３に示すように、２つの球部材６Ａと、これら２つの球部材６Ａを収容する本体２の底面２Ｂに設けられた取付溝７と、これら２つの球部材６Ａのそれぞれを前記取付溝７の収容穴７Ａに収容して回動自在に固定する固定部材６Ｂと、２つの固定ねじ８とを有して構成されている。
【００２４】
取付溝７は、図３及び図４に示すように、平板状の固定部材６Ｂを嵌装した際に、この固定部材６Ｂが底面２Ｂと面一となるように形成されている。また、取付溝７の前記２つの球部材６Ａに対応する箇所には、底面２Ｂを平面視したときに、この球部材６Ａの外径よりも大きな内径を有する収容穴７Ａが形成されている。
【００２５】
また、これら収容穴７Ａの前記球部材６Ａが当接する部分には、球部材６Ａの回動をし易くするための金属製の受け部材７Ｂがそれぞれ配設されている。
【００２６】
固定部材６Ｂは、例えば金属製で平板状に形成されたもので、前記取付溝７の収容穴７Ａに対応する位置には、２つの取付孔６ｂが設けられている。この２つの取付孔６ｂは、球部材６Ａの外径よりも小さく形成されている。
【００２７】
このような構成のスライド手段６を組み立てる場合には、取付溝７の各収容穴７Ａに球部材６Ａを収容し、そして、その上から固定部材６Ｂを被せて取付溝７に嵌入する。
【００２８】
この場合、それぞれの球部材６Ａは固定部材６Ｂの各取付孔６ｂに嵌ることになる。その後、固定部材６Ｂを、ねじ８を用いて本体２の取付溝７に固定する。
【００２９】
これにより、各収容穴７Ａの深さ、すなわち固定部材６Ｂの外側表面から受け部材７Ｂの表面までの距離、が２つの球部材６Ａの外径よりも小さく形成されているので、２つの球部材６Ａのそれぞれの一部が、図４に示すように、本体２の底面２Ｂから突出し、且つ回動自在となるように、２つの球部材６Ａを本体２の底面２Ｂに配設することができる。
【００３０】
尚、２つの球部材６Ａの一部が、本体２の底面２Ｂ（固定部材６Ｂ）から突出する突出量Ｌ（図４参照）は、例えば１ｍｍくらいとなるように、前記スライド手段６を構成することが望ましい。勿論、１ｍｍに限定されるものではなく、適宜使用者にとって最適な突出量Ｌとなるように変更しても良い。
【００３１】
また、前記球部材６Ａが当接する受け部材７Ｂは、例えば１ｍｍの肉厚のものを用いることが望ましいが、これに限定されるものではなく、スライド手段６に用いる球部材６Ａの大きさに応じて適宜肉厚を調整しても良い。
【００３２】
また、前記球部材６Ａは、鉄などの硬度の高い金属を用いて構成されたものを用いるのが望ましい。さらに、本実施の形態では、２つの球部材６Ａを用いた構成について説明したが、２つ以上の球部材６Ａを用いてスライド手段６を構成しても良い。これにより、本体２を紙等の上でスライドしながら移動させる場合の安定性をさらに向上できる。
【００３３】
このような構成の筆記補助具１を使用する場合、使用者は、本体２の連通孔４に筆記具３を挿通し、本体２の開口４ｂから所定の長さの筆記具３の本体３Ａが出たところで、固定手段５によって筆記具３を固定する。
【００３４】
この場合、使用者は、固定手段５を構成する２つの貫通孔５ａにそれぞれねじ５ｂを螺合し、これらのねじ５ｂによって締め付けることで、連通孔４に挿通された筆記具３の本体３Ａを確実に固定することができる。勿論、２つのねじ５ｂによって固定しているので、筆記具３ががたつくこともない。
【００３５】
筆記具３を固定した筆記補助具１は、２つの球部材６Ａを有するスライド手段６を有しているので、図２に示すように、筆記具３のペン先３Ｂと、２つの球部材６Ａとの３点で、机上面などの平面上に接触することになる。
【００３６】
すなわち、筆記補助具１を用いて筆記作業を行う場合には、筆記具３のペン先３Ｂと、２つの球部材６Ａとの３点が平面上に接触しながら移動することになるので、筆記作業時における安定性が高くなる。
【００３７】
また、筆記補助具１は、スライド手段６の２つの球部材６Ａが、回動自在に配設されているので、筆記作業時において、本体２を移動させるための力を小さくすることができる。
【００３８】
尚、筆記作業時において、本体２の開口４ｂとは逆側の背面側に、使用者が力を付与した場合でも、本体２の底面２Ｂの一部が平面状に接しないようにするために、例えば図２の破線部分を切り取るように形成した切り取り部２Ｄを設けて構成しても良い。
【００３９】
また、本体２の連通孔４は、図２に示すように筆記具３のペン軸と平面との角度θが鋭角となるように本体２に設けることが望ましいが、特に限定されるものではなく、使用者が書きやすい位置に筆記具３が固定されるように連通孔４の角度θを設定すれば良い。
【００４０】
図５には、本実施の形態の筆記補助具１を実際に用いて筆記作業を行った場合の使用形態の一例が示されている。
【００４１】
使用者は、図５に示すように、円筒形状の本体２を把持しながら、紙面などの平面上を移動させながら筆記作業を行う。
【００４２】
この場合、本実施の形態の筆記補助具１は、筆記具３のペン先３Ｂと、２つの球部材６Ａとの３点が平面上に接触しながら移動するため、筆記作業時における安定性が高くなるので、安定性を維持するのに必要な力も必要とせずに、筆記作業を行うことができる。
【００４３】
また、筆記補助具１は、スライド手段６の２つの球部材６Ａが、回動自在に配設されたことで、筆記作業時において、本体２を移動させるための力を小さくすることができるので、筆記作業を楽に行うことが可能となる。
【００４４】
尚、図５に示す使用形態では、本体２を使用者が把持しながら筆記作業を行うように説明したが、例えば使用者の手を本体２の上部又は上面２Ａに押し当てながら本体２を移動させて筆記作業を行うこともできる。
【００４５】
従って、第１の実施の形態によれば、筆記作業における安定性が高く、且つ動かすための力を小さくすることができる筆記補助具１を構成できる。
【００４６】
これにより、本実施の形態の筆記補助具１は、例えば手に障害がある人、又は健康者、であっても、楽に筆記作業を行うことができる。
【００４７】
また、本実施の形態の筆記補助具１を、手に障害を持つ人のリハビリ用として、或いは幼児のお絵かき用として、幅広く用いることが可能となる。
【００４８】
さらに、本実施の形態の筆記補助具１は、筆記作業における安定性が高く、且つ動かすための力を小さくすることができる特性を有しているので、英文の筆記体等の筆記作業を行う場合に特に書きやすいといった利点がある。
【００４９】
（変形例１）
図６から図９は第１の実施の形態の筆記補助具の変形例１を示し、図６は変形例１の筆記補助具の具体的な構成を示す斜視図、図７から図９は変形例１の筆記補助具の使用方法を説明するための説明図であり、図７は本体の挟持部を指で挟持しながら使用した状態を示し、図８は本体の上部を把持しながら使用した状態、図９は本体の挟持部を足の指で挟持しながら使用した状態を夫々示している。
【００５０】
尚、図６から図９は、第１の実施の形態と同様な構成要素については同一の符号を付して説明を省略し、異なる部分のみを説明する。
【００５１】
変形例１の筆記補助具１Ａは、第１の実施の形態の筆記補助具１の本体２と、固定手段５とを改良したものであり、改良がなされた本体２０と、固定手段５Ａとを有して構成されている。
【００５２】
本体２０は、凹形状の挟持部２０Ｄを前記本体２０の両側側面に設けて構成している。尚、この挟持部２０は、本体２０の両側側面に設けずに、片側の側面に設けて構成してもよい。
【００５３】
従って、挟持部２０Ｄを形成したことにより、本体２０は、連通孔４の開口４ａを有する上本体部２０Ａと、スライド手段６を有する下本体部２０Ｂとが形成される。
【００５４】
上本体部２０Ａ及び下本体部２０Ｂは、例えば使用者が把持した際に滑らないような多面形状に構成されている。勿論、多面形状に限定されることはなく、上本体部２０Ａ及び下本体部２０Ｂを、例えば曲面形状に構成しても良い。
【００５５】
上本体部２０Ａは、上側に向かって先細になるように形成されている。この上本体部２０Ａの上面には連通孔４の開口４ａが配置され、本体２０の挟持部２０Ｄが形成されてない上本体部２０Ａと下本体部２０Ｂとの境界部分には開口４ｂが配置されている。
【００５６】
また、下本体部２０Ｂの開口４ｂ側の下端部には、第１の実施の形態と同様に筆記作業時において、筆記具３のペン先３Ｂ近傍の視野を確保するための切り取り部２０Ｃが設けられている。
【００５７】
また、下本体部２０Ｂの底面側には、第１の実施の形態と同様の２つの球部材６Ａを有するスライド手段６が設けられている。
【００５８】
固定手段５Ａは、第１の実施の形態と同様のねじ山を有する２つの貫通孔５ａと、六角穴付き止めねじではなく通常のねじ５ｄを有する２つの摘みねじ５ｃとを有して構成されている。
【００５９】
このような固定手段５Ａは、摘みねじ５ｃを回わすことで、ねじ５ｄが貫通孔５ａに螺合しながら、摘みねじ５ｃの先端部が筆記具３の本体３Ａを押すようになっている。そして、第１の実施の形態と同様に、このねじ５ｄの先端面が、連通孔４に挿通された筆記具３の本体３Ａの側面に確実に接触して締め付ける。そのため、筆記具３を確実に固定することが可能となる。
【００６０】
尚、変形例１の筆記補助具１Ａは、第１の実施の形態と同様に、２つの摘みねじ５ｃによる２箇所で筆記具３を固定しているので、筆記具ががたつくこともなく、確実に固定状態を維持できる。
【００６１】
また、固定手段５Ａとして摘みねじ５ｃを用いたことにより、簡単に筆記具３を本体２０に固定したり、或いは、簡単に連通孔４から筆記具３を取り外したり、或いは本体２０に対する筆記具３の長さ調整を簡単に行うことができる。
【００６２】
次に、変形例１の筆記補助具１Ａの使用方法について図７〜図９を用いて説明する。
【００６３】
使用者は、図７に示すように、筆記補助具１Ａの本体２０における挟持部２０Ｄを指で把持しながら、紙面などの平面上を移動させながら筆記作業を行う。
【００６４】
尚、本体２０の挟持部２０Ｄを、例えば親指と人差し指で挟持しながら本体２０を移動させて筆記作業を行っても良い。
【００６５】
この場合、筆記補助具１Ａは、第１の実施の形態と同様に筆記作業における安定性が高く、且つ動かすための力を小さくすることができるので、楽に筆記作業を行うことが可能となる。
【００６６】
また、変形例１の筆記補助具１Ａでは、図８に示すように、上本体部２０Ａを手で把持したり、或いは手の平で抑えながら本体２０を移動させて筆記作業を行うこともできる。この場合、筆記補助具１Ａは動かすための力が小さいので、手を上本体部２０Ａに軽く添えれば良い。
【００６７】
従って、変形例１の筆記補助具１Ａは、このような使用方法が可能であるので、例えば手に障害を持つ人でも、楽に筆記作業を行うことができる。
【００６８】
また、変形例１の筆記補助具１Ａは、図９に示すように、本体２０の挟持部２０Ｄを、例えば足の親指と人差し指で挟持しながら、使用者の足で本体２０を移動させて筆記作業を行うこともできる。
【００６９】
従って、変形例１の筆記補助具１Ａは、このような使用方法が可能であるので、足しか動かせない障害を持つ人でも、楽に筆記作業を行うことができる。
【００７０】
このような変形例１によれば、本体２０に挟持部２０Ｄを設けた構成により、手は勿論、足を用いた場合でも、楽に筆記作業を行うことが可能となる。
【００７１】
尚、変形例１の筆記補助具１Ａは、図７〜図９に示す使用方法に限定されるものではなく、それ以外の使用方法を行っても良い。
【００７２】
また、前記第１の実施の形態の筆記補助具１は、変形例１に示す構成に限定されることはなく、例えば後述する変形例２〜４に示すように構成しても良い。このような変形例２〜４の筆記補助具を下記に示す。
【００７３】
（変形例２）
図１０は第１の実施の形態の筆記補助具の変形例２の筆記補助具の具体的な構成を示す斜視図である。尚、図１０は、第１の実施の形態及び変形例１と同様な構成要素については同一の符号を付して説明を省略し、異なる部分のみを説明する。
【００７４】
図１０に示すように、変形例２の筆記補助具１Ａ１は、第１の実施の形態の筆記補助具１の本体２を改良したものであり、改良がなされた本体２０Ｘと、変形例１における固定手段５Ａとを有して構成されている。
【００７５】
本体２０Ｘは、第１の実施の形態の円柱形状の本体２の上部が斜めに切り取られた切り取り部２０Ｌと、この切り取り部２０Ｌの両側に沿って切り取られた２つの切り取り部２０Ｌ１とを有している。そして、連通孔４がこの切り取り部２０Ｌの切り取り面と略平行となるように本体２０Ｘに設けられている。  
従って、筆記具３のペン先３Ｂが本体２０Ｘの側面から出ているので、ペン先が見易い。
【００７６】
また、本体２０Ｘの切り取り部２０Ｌには、変形例１と同様の固定手段５Ａが設けられている。連通孔４が切り取り部２０Ｌと略平行に設けられているので、第１の実施の形態と同様に、固定手段５Ａの貫通孔５ａが連通孔４に対して直角に配置される。
【００７７】
このため、変形例１と同様に、摘みねじ５ｃのねじ５ｄの先端面が、連通孔４に挿通された筆記具３の本体３Ａの側面に確実に接触して締め付ける。そのため、筆記具３を確実に固定することが可能となる。
【００７８】
また、２つの切り取り部２０Ｌ１を設けたことで、使用者は本体２０Ｘを把持しやすくなる。
【００７９】
尚、本体２０Ｘは、木材又は透明な樹脂部材を用いて構成すれば良い。また、本体２０Ｘの形状は、円柱形状に限定されるものではなく、変形例１のように多面形状又は曲面形状に構成しても良い。
【００８０】
その他の構成及び作用は、第１の実施の形態と同様である。
【００８１】
従って、変形例２の筆記補助具１Ａ１によれば、切り取り部２０Ｌ１を設けたことで、使用者が本体２０Ｘを把持しやすくなり、また、切り取り部２０Ｌを設けたことで、筆記作業時において、筆記具３のペン先３Ｂ近傍の視野を確保できる。その他の効果は第１の実施の形態及び変形例１と同様である。
【００８２】
（変形例３）
図１１は第１の実施の形態の筆記補助具の変形例３の筆記補助具の具体的な構成を示す斜視図である。尚、図１１は、第１の実施の形態及び変形例１と同様な構成要素については同一の符号を付して説明を省略し、異なる部分のみを説明する。
【００８３】
図１１に示すように、変形例３の筆記補助具１Ａ２は、第１の実施の形態の筆記補助具１の本体２を改良したものであり、改良がなされた本体２０Ｙと、変形例１における固定手段５Ａとを有して構成されている。
【００８４】
本体２０Ｙは、第１の実施の形態の本体２の切り取り部２Ｃが本体２０Ｙの底面となるように形成された切り取り部２０Ｑと、上面２０Ｎの一部が切り取られた切り取り部２０Ｐとを有して構成されている。また、連通孔４は、本体２０Ｙの側面部を、側面部に対して直交する方向に、貫通するように設けられている。
【００８５】
また、切り取り部２０Ｑには、２つの球部材６Ａを有するスライド手段６が設けられている。
【００８６】
切り取り部２０Ｑを形成したことで、本体２０Ｙは、図１１に示すように、筆記作業時において、斜め前方に倒した状態を保持できる。  
従って、筆記具３のペン先３Ｂが本体２０Ｙの側面から出ているので、ペン先が見易い。尚、連通孔４に対する切り取り部２０Ｑの角度を適宜変更するように構成すれば、本体２０Ｙの傾斜角度を変更することも可能である。また、切り取り部２０Ｐを、例えば上面２０Ｎの両側に設けることで、使用者は本体２０Ｙを把持しやすくなる。
【００８７】
尚、本体２０Ｙは、木材でも良いが、筆記具３のペン先３Ｂ近傍の視野を確保するために、透明な樹脂部材を用いて構成することが望ましい。また、本体２０Ｙの形状は、円柱形状に限定されるものではなく、変形例１のように多面形状又は曲面形状に構成しても良い。
【００８８】
その他の構成及び作用は、第１の実施の形態と同様である。
【００８９】
従って、変形例３の筆記補助具１Ａ２によれば、筆記作業時において、本体２０Ｙは前方側に倒した状態を保持できるので、使用者が本体２０Ｙを把持しやすくなり、楽に筆記作業を行うことができる。その他の効果は第１の実施の形態と同様である。尚、更に本体２０Ｙを把持し易くするために、本体Ｙの側面部に凹形状の挟持部を設けて構成しても良い。
【００９０】
（変形例４）
図１２は第１の実施の形態の筆記補助具の変形例４の筆記補助具の具体的な構成を示す斜視図である。尚、図１２は、第１の実施の形態と同様な構成要素については同一の符号を付して説明を省略し、異なる部分のみを説明する。
【００９１】
図１２に示すように、変形例４の筆記補助具１Ａ３は、第１の実施の形態の筆記補助具１の本体２を改良したものであり、改良がなされた本体２０Ｚと、変形例１における固定手段５Ａとを有して構成されている。
【００９２】
本体２０Ｚは、木材を用いて、例えば卵形のような球形状に形成されており、本体２０Ｚの底部側には一部が切り取られた平面形状の底面２０Ｒが設けられている。この底面２０Ｒには、２つの球部材６Ａを有するスライド手段６が設けられている。
【００９３】
また、本体２０Ｚには、第１の実施の形態と同様に連通孔４が設けられている。この連通孔４は、本体２０Ｚの上部と下部とを貫通するように設けられている。
【００９４】
そして、固定手段５Ａは、連通孔４に対して直角に貫通孔５ａが配置されるように本体２０Ｚの凸部に設けられている。この場合、固定手段５Ａは、それぞれ１つの摘みねじ５ｃ、ねじ５ｄ及び貫通孔５ａのみで構成されている。このことにより、変形例１よりも、部品点数を少なくできるのでコスト低減は勿論、製造工程の簡略化を図れる。勿論、固定手段５Ａは、変形例１と同様に２個設けても良い。
【００９５】
また、固定手段５Ａの貫通孔５ａが連通孔４に対して直角に配置されるため、摘みねじ５ｃのねじ５ｄの先端面が、連通孔４に挿通された筆記具３の本体３Ａの側面に確実に接触して締め付ける。そのため、１つの固定手段５Ａでも筆記具３を確実に固定することが可能となる。
【００９６】
尚、本体２０Ｚは、木材でなく、透明な樹脂部材を用いて構成しても良い。また、本体２０Ｚの形状は、球形状に限定されるものではなく、変形例１のように多面形状に構成しても良い。
【００９７】
その他の構成及び作用は、第１の実施の形態と同様である。
【００９８】
従って、変形例４の筆記補助具１Ａ３によれば、さらに、球形状に形成したことで、使用者が本体２０Ｚを把持しやすくなる。また、本体２０Ｚを簡単に製造でき、さらに、１つの固定手段５Ａのみを用いて構成しているので、コスト低減にも大きく寄与する。その他の効果は第１の実施の形態及び変形例１と同様である。
【００９９】
尚、第１の実施の形態の筆記補助具１は、前記変形例１〜４に示す構成に限定されるものではなく、本体２の形状が、例えば円錐形状の上部を切り取ることによって、側面から見た場合に台形形状となるように構成しても良い。また、この本体の側面部の一部を切り取って切り取り部を形成し、本体の上面からこの切り取り部を介して連通孔４を設けて構成しても良い。
【０１００】
（第２の実施の形態）
図１３から図１６は本発明の第２実施の形態に係り、図１３は第２の実施の形態の筆記補助具の全体構成を示す斜視図、図１４は図１３の筆記補助具の側面図、図１５及び図１６は第２の実施の形態の筆記補助具の使用方法を説明するための説明図であり、図１５は本体の筆記具固定部の挟持部を指で挟持しながら使用した状態を示し、図１６は本体の把持部を把持しながら使用した状態を夫々示している。
【０１０１】
尚、図１３から図１６は、第１の実施の形態と同様な構成要素については同一の符号を付して説明を省略し、異なる部分のみを説明する。
【０１０２】
図１３に示すように、第２の実施の形態の筆記補助具１Ｂは、第１の実施の形態の筆記補助具１の本体２を改良した本体２１を有して構成されている。
【０１０３】
この本体２１は、連通孔４及び固定手段５Ａが設けられた筆記具固定部２１Ａと、この筆記具固定部２１Ａに連設して設けられた把持部２１Ｂとを有し、把持部２１Ｂの底面部に２つの球部材６Ａを有するスライド手段６を設けて構成されている。
【０１０４】
筆記具固定部２１Ａは、図６に示す変形例１の筆記補助具１Ａと同様に、凹部形状の挟持部２１Ｃを側面両側に設けて構成している。
【０１０５】
また、この挟持部２１Ｃの両側側面には、連通孔４に開口する開口部２１ａが設けられている。この開口部２１ａを設けたことにより、挟持部２１Ｃを指で把持する場合に、開口部２１ａから露出する筆記具３を直に触れることができるので、使用者は実際に筆記具３を把持する感覚に近い感覚で、筆記作業を行うことができる。
【０１０６】
尚、挟持部２１Ｃは、この開口部２１ａを設けずに構成しても良いが、より挟持し易くするために挟持部２１Ｃの肉厚を薄くする構成とする場合には開口部２１ａが形成されることになる。
【０１０７】
筆記具固定部２１Ａに設けられた固定手段５Ａは、図６に示す変形例１の筆記補助具１Ａにおける固定手段５Ａと同様の構成である。この場合、固定手段５Ａの２つの摘みねじ５ｃ及び２つの貫通孔５ａは、筆記具固定部２１Ａの上側と下側とに配設されている。
【０１０８】
本体２１を構成する把持部２１Ｂは、図１４に示すように、筆記具固定部２１Ａと連設する連設部２１Ｄを介して筆記具固定部２１と一体的に設けられている。
【０１０９】
把持部２１Ｂは、後端部に向けて肉厚が薄くなるように構成することで、上面２１ｂが後端部に向けて低くなるように傾斜している。また、把持部２１Ｂの底面の後端側には、第１の実施の形態の切り取り部２Ｄ（図２参照）と同様に作用する切り取り部２１ｃが設けられている。
【０１１０】
そして、この把持部２１Ｂの後端部側の底面には、第１の実施の形態と同様に２つの球部材６Ａを有するスライド手段６が設けられている。
【０１１１】
尚、連設部２１Ｄ及び把持部２１Ｂの形状は、図１３及び図１４に示す形状に限定されることはなく、例えば把持部２１Ｂと連設部２１Ｄとの長手方向における長さを大きくしたり、又は短くして、連設部２１Ｄ及び把持部２１Ｂの上面２１ｂの表面積を変更するように構成しても良い。
【０１１２】
また、把持部２１Ｂの幅を大きくしたり、又は小さくして、同様に上面２１ｂの表面積を変更するように構成しても良い。これにより、使用者が把持部２１Ｂを把持し易くなり、或いは把持部２１Ｂに手或いは足を載せやすくすることができる。
【０１１３】
その他の構成は、第１の実施の形態の筆記補助具１Ａと同様である。
【０１１４】
次に、第２の実施の形態の筆記補助具１Ｂの使用方法について、図１５及び図１６を用いて説明する。
【０１１５】
使用者は、図１５に示すように、図６に示す変形例１と同様に、筆記補助具１ＢＡの本体２１における挟持部２１Ｃを指で把持すると同時に、手を把持部２１Ｂの上面２１ｂに載せながら、紙面などの平面上を移動させながら筆記作業を行う。
【０１１６】
尚、本体２１の挟持部２１Ｃを、例えば親指と人差し指で挟持し、手のひらを把持部２１Ｂの上面２１ｂに載せながら本体２１を移動させて筆記作業を行っても良い。
【０１１７】
この場合、筆記補助具１Ｂは、第１の実施の形態と同様に筆記作業における安定性が高く、且つ動かすための力を小さくすることができるので、楽に筆記作業を行うことが可能となる。
【０１１８】
また、第２の実施の形態の筆記補助具１Ｂでは、図１６に示すように、筆記補助具１Ｂを横に配置した状態で、把持部２１Ｂを手で把持したり、或いは図示はしないが手の平を把持部２１Ｂの上面２１ｂに載せて抑えながら本体２１を移動させて筆記作業を行うこともできる。
【０１１９】
尚、把持部２１Ｂの上面２１ｂに手のひらを載せて筆記作業を行う場合には、筆記補助具１Ｂは動かすための力が小さいので、手の平を把持部２１Ｂの上面２１ｂに軽く添えるだけで良い。
【０１２０】
従って、第２の実施の形態の筆記補助具１Ｂは、このような使用方法が可能であるので、変形例と同様に、例えば手に障害を持つ人でも、楽に筆記作業を行うことができる。
【０１２１】
また、第２の実施の形態の筆記補助具１Ｂにおいても、図９に示す変形例１と同様に、本体２１の挟持部２０Ｃを、例えば足の親指と人差し指で挟持しながら、使用者の足で本体２１を移動させて筆記作業を行っても良い。
【０１２２】
従って、第２の実施の形態の筆記補助具１Ｂは、このような使用方法が可能であるので、足しか動かせない障害を持つひとでも、楽に筆記作業を行うことができる。
【０１２３】
尚、第２の実施の形態の筆記補助具１Ｂは、図１５及び図１６に示す使用方法に限定されるものではなく、それ以外の使用方法を行っても良く、把持部２１Ｂを設けたことで、様々な使用方法を行うことが可能となる。
【０１２４】
以上、説明したように第２の実施の形態によれば、本体２１を、筆記具固定部２１Ａと把持部２１Ｂとに構成したことにより、様々な使用方法で筆記作業を行うことができるので、例えば手に障害がある人であっても、楽に筆記作業を行うことが可能となる。その他の効果を第１の実施の形態と同様である。
【０１２５】
（第３の実施の形態）
図１７から図２０は本発明の第３の実施の形態に係り、図１７は第３の実施の形態の筆記補助具の全体構成を示す斜視図、図１８は図１７の筆記補助具の側面図、図１９及び図２０は第３の実施の形態の筆記補助具の使用方法を説明するための説明図であり、図１９は本体の筆記具固定部の挟持部を指で挟持しながら使用した状態を示し、図２０は本体の把持部の上面に手の平を載せながら使用した状態を夫々示している。
【０１２６】
尚、図１７から図２０は、第２の実施の形態と同様な構成要素については同一の符号を付して説明を省略し、異なる部分のみを説明する。
【０１２７】
図１７に示すように、第３の実施の形態の筆記補助具１Ｃは、第２の実施の形態の筆記補助具１Ｂと略同様に構成されるが、本体２２を構成する筆記具固定部２２Ａ及び把持部２２Ｂの構成が異なる。
【０１２８】
具体的には、図１７及び図１８に示すように、第３の実施の形態の筆記補助具１Ｃの本体２２は、例えば透明の樹脂部材を用いて構成されている。
【０１２９】
また、本体２２を構成する筆記具固定部２２Ａは、例えば円柱形状に構成されている。また、筆記具固定部２２Ａは、第２の実施の形態の挟持部２１Ｃについては設けないで構成されている。
【０１３０】
尚、使用者が筆記具固定部２２Ａを把持し易いように挟持部を設けて構成しても良い。
【０１３１】
また、筆記具固定部２２Ａの固定手段５Ａについては、第２の実施の形態と同様に構成されている。
【０１３２】
本実施の形態では、筆記具固定部２２Ａが透明の樹脂部材を用いて構成されているので、第１の実施の形態のような切り取り部２Ｃ（図１参照）を設けずとも、筆記作業時において、この筆記具固定部２２Ａを介して筆記具３のペン先３Ｂ近傍の視野を確保できる。
【０１３３】
本体２２を構成する把持部２２Ｂは、図１８に示すように、筆記具固定部２２Ａと連設する連設部２２Ｄを介して筆記具固定部２２Ａと一体的に設けられている。
【０１３４】
この把持部２２Ｂの底面の後端側には、第１の実施の形態の切り取り部２Ｄ（図２参照）と同様に作用する切り取り部２２Ｃが設けられている。
【０１３５】
そして、本実施の形態では、この把持部２２Ｂの下部の切り取り部２２Ｃの面部に２つの球部材６Ａを有するスライド手段６を設けて構成している。
【０１３６】
また、連設部２２Ｄには、例えば平面状の文字等を拡大して見るための拡大レンズ２３が配設されている。勿論、不要ならこの拡大レンズ２３を設けずに構成しても良い。
【０１３７】
尚、連設部２２Ｄ及び把持部２２Ｂの形状は、図１７及び図１８に示す形状に限定されることはなく、例えば把持部２２Ｂと連設部２２Ｄとの長手方向における長さを大きくしたり、又は短くして、連接部２２Ｄ及び把持部２２Ｂの上面２２ｂの表面積を変更するように構成しても良い。
【０１３８】
また、把持部２２Ｂの幅を大きくしたり、又は小さくして、同様に上面２２ｂの表面積を変更するように構成しても良い。これにより、使用者が把持部２２Ｂを把持し易くなり、或いは把持部２２Ｂに手或いは足を載せやすくすることができる。
【０１３９】
本実施の形態の筆記補助具１Ｃは、把持部２２Ｂの切り取り部２２Ｃに２つの球部材６Ａを有するスライド手段６を設けたことにより、筆記具３の固定時には図１８に示すように連設部２２Ｄ及び把持部２２Ｂが後端部側に傾いた状態で平面上に配置される。すなわち、使用者は、把持部２２Ｂ側に重心を掛けた状態で本体２２を移動することになるので、筆記具３のペン先３Ｂに係る力が小さくなる。そのため、筆記作業を円滑に行うことができる。
【０１４０】
その他の構成は、第２の実施の形態の筆記補助具１Ｂと同様である。
【０１４１】
次に、第３の実施の形態の筆記補助具１Ｃの使用方法について、図１９及び図２０を用いて説明する。
【０１４２】
使用者は、図１９に示すように、第２の実施の形態と同様に、筆記補助具１Ｃの本体２１の筆記具固定部２２Ａを指で把持し、手を把持部２２Ｂの上面２２ｂに載せながら、紙面などの平面上をスライド移動させながら筆記作業を行う。
【０１４３】
尚、本体２２の筆記具固定部２２Ａを、例えば親指と人差し指で挟持しながら本体２２を移動させて筆記作業を行っても良い。
【０１４４】
この場合、筆記補助具１Ｃは、第２の実施の形態と同様に筆記作業における安定性が高く、且つ動かすための力を小さくすることができるので、楽に筆記作業を行うことが可能となる。
【０１４５】
また、第３の実施の形態の筆記補助具１Ｃでは、図２０に示すように、筆記補助具１Ｂを横に配置した状態で、手の平を把持部２２Ｂの上面２１ｂを載せて抑えたり、或いは把持部２１Ｂを手で把持したりしながら本体２２を移動させて筆記作業を行うこともできる。
【０１４６】
尚、把持部２２Ｂの上面２２ｂに手の平を載せて筆記作業を行う場合には、筆記補助具１Ｃは動かすための力が小さいので、手の平を把持部２２Ｂの上面２２ｂに軽く添えるだけで良い。
【０１４７】
従って、第３の実施の形態の筆記補助具１Ｃは、このような使用方法が可能であるので、第２の実施の形態と同様に、例えば手に障害を持つ人でも、楽に筆記作業を行うことができる。
【０１４８】
また、第３の実施の形態の筆記補助具１Ｃにおいても、図９に示す変形例１と同様に、本体２２の筆記具固定部２２Ａを、例えば足の親指と人差し指で挟持しながら、使用者の足で本体２２を移動させて筆記作業を行っても良い。
【０１４９】
従って、第３の実施の形態の筆記補助具１Ｃは、このような使用方法が可能であるので、足しか動かせない障害を持つひとでも、楽に筆記作業を行うことができる。
【０１５０】
尚、第３の実施の形態の筆記補助具１Ｃは、図１９及び図２０に示す使用方法に限定されるものではなく、それ以外の使用方法を行っても良く、第２の実施の形態と同様に把持部２２Ｂを設けたことで、様々な使用方法を行うことが可能となる。
【０１５１】
以上、説明したように第３の実施の形態によれば、本体２２を透明の樹脂部材を用いて構成したことにより、筆記具３のペン先３Ｂ近傍の視野を確保するための切り欠き部等を設けなくても、透明な筆記具固定部２２Ａを透して筆記具３のペン先３Ｂ近傍の視野を確保できる。これにより、製造工程の簡略化及び製造コストの低減化に大きく寄与する。
【０１５２】
また、把持部２２Ｂの切り欠き部２２Ｃの面部に２つの球部材６Ａを有するスライド手段６を設けたことにより、筆記具３のペン先３Ｂに係る力を小さくすることで、筆記作業をより円滑に行うことができる。
【０１５３】
その他の効果は第２の実施の形態と同様である。
【０１５４】
尚、第３の実施の形態において、さらに筆記具３のペン先３Ｂ近傍の視野を確保するために、筆記具固定部２２Ａ内部にレンズを設けて構成しても良い。
【０１５５】
（第４の実施の形態）
図２１は本発明の第４の実施の形態の筆記補助具の全体構成を示す斜視図である。尚、図２１は、第３の実施の形態と同様な構成要素については同一の符号を付して説明を省略し、異なる部分のみを説明する。
【０１５６】
図２１に示すように、第４の実施の形態の筆記補助具１Ｄは、第３の実施の形態の筆記補助具１Ｃの本体２２を改良した本体２３を有して構成されている。
【０１５７】
この本体２３は、連通孔４及び固定手段５Ａが設けられた筆記具固定部２３Ａと、この筆記具固定部２３Ａに連設して設けられた把持部２３Ｂとを有し、把持部２３Ｂの底面部に２つの球部材６Ａを有するスライド手段６を設けて構成されている。
【０１５８】
筆記具固定部２３Ａは、第３の実施の形態の円柱形状の筆記具固定部２２Ａの上部が斜めに切り取られた切り取り部２３Ｄを有している。そして、連通孔４がこの切り取り部２０Ｄの切り取り面と略平行となるように筆記具固定部２３Ａに設けられている。
【０１５９】
また、筆記具固定部２３Ａの切り取り部２０Ｄには、第３の実施の形態と同様の固定手段５Ａが設けられている。この場合、固定手段５Ａは、それぞれ１つの摘みねじ５ｃ、ねじ５ｄ及び貫通孔５ａのみで構成されている。このことにより、第３の実施の形態よりも、部品点数を少なくできるのでコスト低減は勿論、製造工程の簡略化を図れる。勿論、固定手段５Ａは、第３の実施の形態と同様に２個設けても良い。
【０１６０】
また、連通孔４が切り取り部２０Ｄと略平行に筆記具固定部２３Ａ内に設けられているので、第１の実施の形態と同様に、固定手段５Ａの貫通孔５ａが連通孔４に対して直角に配置される。
【０１６１】
このため、摘みねじ５ｃのねじ５ｄの先端面が、連通孔４に挿通された筆記具３の本体３Ａの側面に確実に接触して締め付ける。そのため、１つの固定手段５Ａでも筆記具３を確実に固定することが可能となる。
【０１６２】
また、切り取り部２０Ｄを設けたことにより、筆記作業時において、筆記具３のペン先３Ｂ近傍の視野を確保できる。
【０１６３】
尚、本体２３は、第３の実施の形態と同様に透明な樹脂部材を用いて構成することが望ましいが、木材を用いて構成しても良い。また、本体２３の筆記具固定部２３Ａの形状は、円柱形状に限定されるものではなく、多面形状又は曲面形状に構成しても良い。
【０１６４】
その他の構成及び作用は、第３の実施の形態と同様である。
【０１６５】
従って、第４の実施の形態の筆記補助具１Ｄによれば、切り取り部２３Ｄを設けたことで、筆記作業時において、筆記具３のペン先３Ｂ近傍の視野を確保できる。その他の効果は第３の実施の形と同様である。
【０１６６】
（第５の実施の形態）
図２２は本発明の第５の実施の形態の筆記補助具の全体構成を示す斜視図である。尚、図２２は、第２の実施の形態と同様な構成要素については同一の符号を付して説明を省略し、異なる部分のみを説明する。
【０１６７】
図２２に示すように、第５の実施の形態の筆記補助具１Ｅは、第２の実施の形態の筆記補助具１Ｂの本体２１を改良した本体２４を有して構成されている。
【０１６８】
この本体２４は、連通孔４及び固定手段５Ａが設けられた筆記具固定部２４Ａと、この筆記具固定部２４Ａに連設して設けられた把持部２４Ｂとを有し、把持部２４Ｂの底面部に２つの球部材６Ａを有するスライド手段６を設けて構成されている。
【０１６９】
筆記具固定部２４Ａは、第２の実施の形態の筆記具固定部２１Ａの上部が斜めに切り取られた切り取り部２４Ｃを有している。また、連通孔４は、この切り取り部２０Ｃの切り取り面と略平行となるように、筆記具固定部２４Ａの背面側から底面側にかけて設けられている。
【０１７０】
また、筆記具固定部２４Ａの切り取り部２０Ｃには、第２の実施の形態と同様の固定手段５Ａが設けられている。
【０１７１】
連通孔４が切り取り部２０Ｃの切り取り面と略平行に筆記具固定部２４Ａ内に設けられているので、第１の実施の形態と同様に、固定手段５Ａの貫通孔５ａが連通孔４に対して直角に配置される。
【０１７２】
このため、摘みねじ５ｃのねじ５ｄの先端面が、連通孔４に挿通された筆記具３の本体３Ａの側面に確実に接触して締め付ける。そのため、筆記具３を確実に固定することが可能となる。
【０１７３】
また、切り取り部２４Ｃを設けたことにより、筆記作業時において、筆記具３のペン先３Ｂ近傍の視野を確保できる。
【０１７４】
尚、本体２４は、第２の実施の形態と同様に木材を用いて構成することが望ましいが、透明に樹脂部材を用いて構成しても良い。また、本体２４の筆記具固定部２４Ａの形状は、図２２に示す形状に限定されるものではなく、切り取り部２４Ｃを有していれば、他の形状、例えば曲面形状に構成しても良い。
【０１７５】
その他の構成及び作用は、第２の実施の形態と同様である。
【０１７６】
従って、第５の実施の形態の筆記補助具１Ｅによれば、切り取り部２４Ｃを設けたことで、筆記作業時において、筆記具３のペン先３Ｂ近傍の視野を確保できる。その他の効果は第２の実施の形と同様である。
【０１７７】
尚、第１〜第５の実施の形態及び変形例１〜４において、例えば本体内に印鑑を着脱自在に設けて構成すれば、印鑑を使用する際に便利である。
【０１７８】
また、筆記補助具１〜１Ｅの本体２、２１〜２４の上部又は全体をカバーするカバー部材を設け、筆記補助具１〜１Ｅを使用しない場合に、このカバー部材を本体２、２１〜２４の上部又は全体を被せれば、筆記具３による事故も防止できる。
【０１７９】
さらに、筆記補助具１〜１Ｅの本体２、２１〜２４に、連通孔４とは異なる、径の大きな他の連通孔を設け、この連通孔を筆記具収容部として構成しても良い。これにより、筆記補助具１〜１Ｅを用いないときは、この筆記補助具１〜１Ｅを筆記具収容部として用いることができる。
【０１８０】
また、上述した各実施の形態及び各変形例では、筆記具としては、鉛筆、ボールペン等を例に挙げたが、万年筆等でもよく、連通孔は、筆記具の形状に合わせて、あるいは種々の筆記具に対応できるような寸法にすればよい。
【０１８１】
さらに、上述した各実施の形態及び各変形例では、文字等を書く場合を説明したが、デッサン等にも利用でき、色鉛筆等であれば、色付きの絵を描く場合にも本発明の筆記補助具は利用できる。
【０１８２】
本発明は、以上述べた第１から第５の実施の形態及び変形例１〜４のみに限定されるものではなく、発明の要旨を逸脱しない範囲で種々変形実施可能である。
【図面の簡単な説明】
【０１８３】
【図１】本発明の第１実施の形態の筆記補助具の全体構成を示す斜視図。
【図２】図１の筆記補助具に筆記具を装着した場合の筆記補助具の側面図。
【図３】図１の筆記補助具の本体の底面側に設けられたスライド手段の構成を説明するための分解組み立て図。
【図４】組み立てられた図３のスライド手段の一部破断した断面図。
【図５】第１の実施の形態の筆記補助具の使用方法を説明するための説明図。
【図６】第１の実施の形態の筆記補助具の変形例の筆記補助具の具体的な構成を示す斜視図。
【図７】変形例の筆記補助具の使用方法を説明するもので、本体の挟持部を指で挟持しながら使用した状態を示す説明図。
【図８】本体の上部を把持しながら使用した状態の説明図。
【図９】本体の挟持部を足の指で挟持しながら使用した状態を示す説明図。
【図１０】第１の実施の形態の筆記補助具の変形例２の筆記補助具の具体的な構成を示す斜視図。
【図１１】第１の実施の形態の筆記補助具の変形例３の筆記補助具の具体的な構成を示す斜視図。
【図１２】第１の実施の形態の筆記補助具の変形例４の筆記補助具の具体的な構成を示す斜視図。
【図１３】本発明の第２実施の形態の筆記補助具の全体構成を示す斜視図。
【図１４】図１３の筆記補助具の側面図。
【図１５】第２の実施の形態の筆記補助具の使用方法を説明するもので、本体の筆記具固定部の挟持部を指で挟持しながら使用した状態を示す説明図。
【図１６】本体の把持部を把持しながら使用した状態を示す説明図。
【図１７】本発明の第３の実施の形態の筆記補助具の全体構成を示す斜視図。
【図１８】図１７の筆記補助具の側面図。
【図１９】第３の実施の形態の筆記補助具の使用方法を説明するもので、本体の筆記具固定部の挟持部を指で挟持しながら使用した状態を示す説明図。
【図２０】本体の把持部の上面に手の平を載せながら使用した状態を示す説明図。
【図２１】本発明の第４の実施の形態の筆記補助具の全体構成を示す斜視図。
【図２２】本発明の第５の実施の形態の筆記補助具の全体構成を示す斜視図。
【符号の説明】
【０１８４】
１…筆記補助具、
２…本体、
２Ａ…上面
２Ｂ…底面、
３…筆記具、
３Ａ…本体、
３Ｂ…ペン先、
４…連通孔、
４ａ、４ｂ…開口、
５…固定手段、
５ａ…貫通孔、
６…スライド手段、
６Ａ…球部材、
６Ｂ…固定部材、
６ｂ…取付孔、
７…取付溝、
７Ａ…収容穴。
【図１】
2010083076.tif 000003
【図２】
2010083076.tif 000004
【図３】
2010083076.tif 000005
【図４】
2010083076.tif 000006
【図５】
2010083076.tif 000007
【図６】
2010083076.tif 000008
【図７】
2010083076.tif 000009
【図８】
2010083076.tif 000010
【図９】
2010083076.tif 000011
【図１０】
2010083076.tif 000012
【図１１】
2010083076.tif 000013
【図１２】
2010083076.tif 000014
【図１３】
2010083076.tif 000015
【図１４】
2010083076.tif 000016
【図１５】
2010083076.tif 000017
【図１６】
2010083076.tif 000018
【図１７】
2010083076.tif 000019
【図１８】
2010083076.tif 000020
【図１９】
2010083076.tif 000021
【図２０】
2010083076.tif 000022
【図２１】
2010083076.tif 000023
【図２２】
2010083076.tif 000024